(57)【要約】【課題】アクセス端末識別管理。【解決手段】サブネット識別名を再使用する前に、複数のサブネット間の最小距離を与えるアクセス端末識別管理。移動性基準評価は、いつアクセス端末識別名を再指定するかを決定する。１つの実施形態では、移動性基準は、アクセス端末に関するアクティブ・セットのいずれかのメンバーが最初のサブネットに属するかどうかである。代わりの実施形態では、基準は、アクセス端末が最初のサブネットから最小距離よりも多く移動したかどうかである。移動性基準を違反している場合に、アクセス端末は、新たな識別名を指定する。１つの実施形態では、アクセス端末識別名は、サブネット識別名に基づいたロング・コード・マスクである。識別名管理は、セルラ・システムにおいてセクタ境界を横切る時に適用され、そして、完全ＵＡＴＩ値にＣＣ値をマッピングすることの曖昧さを削減するように、そして重複する指定を回避するようにサービスする。【選択図】図９
2007512782.tif 000002
【特許請求の範囲】
【請求項１】
アクセス・ネットワーク装置であって、該装置は下記を具備する：
アクセス端末に第１の識別名を指定するための手段、該第１の識別名は第１のサブネットに対応する；
該第１のサブネット内の該アクセス端末と通信を確立するための手段；
第２のサブネット内の該アクセス端末と通信するための手段；
該第２のサブネットが該アクセス端末に関する移動性基準を満足するかを決定するための手段；及び
該第２のサブネットが該移動性基準を満足しない場合に、該アクセス端末に第２の識別名を再指定するための手段、ここにおいて、該第２の識別名は、該第２のサブネットに対応する。
【請求項２】
請求項１のアクセス・ネットワーク装置、ここにおいて、該第１の識別名は、第１のロング・コード・マスクである。
【請求項３】
請求項２のアクセス・ネットワーク装置、ここにおいて、該第１のロング・コード・マスクは、第１のユニキャスト・アクセス端末識別名の一部分及び該第１のサブネットに対応するカラー・コードを具備する。
【請求項４】
請求項１のアクセス・ネットワーク装置、ここにおいて、該決定するための手段は、該アクセス端末のアクティブ・セットのいずれかのメンバーが該第１のサブネットに属するかどうかを決定する手段をさらに具備する。
【請求項５】
請求項１のアクセス・ネットワーク装置、ここにおいて、該決定するための手段は、下記をさらに具備する：
該第２のサブネットに対する隣接サブネット・リストを発生するための手段；及び
該隣接サブネット・リストのいずれかの隣接者のいずれかのアクティブ・セットが該第１のサブネットのシャドウ・サブネットを包含するかどうかを決定するための手段、ここにおいて、該第１のサブネット及び該シャドウ・サブネットは同じカラー・コードを有する。
【請求項６】
下記を具備する装置：
第１のサブネットの関数としてアクセス端末識別名を発生することに適応した、アクセス端末識別名発生器；及び
アクセス端末の現在の位置が移動性基準を満足しているかどうかを決定するために適応した移動性評価ユニット、ここにおいて、該移動性基準の違反に応じて、該移動性評価ユニットは、新たなアクセス端末識別名の発生を始める。
【請求項７】
請求項６の装置であって、下記をさらに具備する：
該アクセス端末に関するアクティブ・セット情報を記憶するために適応した、メモリ記憶ユニット、
ここにおいて、該移動性基準は、該アクセス端末のアクティブ・セットの少なくとも１つのメンバーが該第１のサブネットに属することを検証する。
【請求項８】
請求項６の装置であって、下記をさらに具備する：
隣接サブネット・リストを記憶するために適応した、メモリ記憶ユニット、
ここにおいて、該移動性基準は、該隣接サブネット・リストのいずれかの隣接者のいずれかのアクティブ・セットが該第１のサブネットと同じカラー・コードを有するかどうかを検査する。
【請求項９】
請求項８の装置、ここにおいて、同じカラー・コードを有する複数のサブネット間の最小距離は、１である。
【請求項１０】
請求項８の装置、ここにおいて、該アクセス端末識別名は、ユニキャスト・アクセス端末識別名に基づいたロング・コード・マスクである。
【請求項１１】
請求項１０の装置、ここにおいて、該ユニキャスト・アクセス端末識別名は、サブネットに関係付けられる。
【請求項１２】
請求項１０の装置、ここにおいて、該カラー・コードは、該ユニキャスト・アクセス端末識別名に基づいた値であり、そしてサブネット識別名にマッピングする。
【請求項１３】
下記を具備する装置：
コンピュータ読み取り可能な命令をランさせるために適応した処理ユニット；及び
下記を行うコンピュータ読み取り可能な命令を記憶するために適応した、メモリ記憶ユニット：
アクセス端末に第１の識別名を指定すること、該第１の識別名は第１のサブネットに対応する；
該第１のサブネット内の該アクセス端末と通信を確立すること；
第２のサブネット内の該アクセス端末と通信すること；
該第２のサブネットが該アクセス端末に関する移動性基準を満足することを決定すること；及び
該第２のサブネットが該移動性基準を満足しない場合に、該アクセス端末に第２の識別名を再指定すること、ここにおいて、該第２の識別名は、該第２のサブネットに対応する。
【請求項１４】
請求項１３の方法、ここにおいて、
該移動性基準は、該第２のサブネットが該第１のサブネットからの最小距離より大きいかどうかを決定する、
該最小距離は、同じカラー・コードを有する複数のサブネット間の距離の半分である、
同じカラー・コードを有する複数のサブネット間の該距離は、間に介在するサブネットの数である、及び
各カラー・コードは、サブネット識別名にマッピングする。
【請求項１５】
下記を具備する方法：
アクセス端末に第１の識別名を指定すること、該第１の識別名は第１のサブネットに対応する；
該第１のサブネット内の該アクセス端末と通信を確立すること；
第２のサブネット内の該アクセス端末と通信すること；
該第２のサブネットが該アクセス端末に関する移動性基準に違反しているかを評価すること；及び
該第２のサブネットが該移動性基準を満足しない場合に、該アクセス端末に第２の識別名を再指定すること、ここにおいて、該第２の識別名は、該第２のサブネットに対応する。
【請求項１６】
請求項１５の方法、ここにおいて、該移動性基準は、該第２のサブネットが該第１のサブネットからの最小距離より大きいかどうかを決定する。
【請求項１７】
請求項１５の方法、ここにおいて、該第２の識別名を再指定することは、下記を具備する：
該アクセス端末に再指定メッセージを送ること。
【請求項１８】
請求項１５の方法であって、下記をさらに具備する：
該第２のサブネットに対する隣接サブネット・リストを発生すること。
【請求項１９】
請求項１８の方法であって、下記をさらに具備する：
該隣接サブネット・リストのいずれかのメンバーが該第１のサブネットのシャドウ・サブネットを包含するアクティブ・セットを有するかどうかを決定すること。
【請求項２０】
請求項１９の方法であって、下記をさらに具備する：
該隣接サブネット・リストのいずれかのメンバーが該第１のサブネットのシャドウ・サブネットを包含するアクティブ・セットを有する場合に、アクセス端末との接続を終わらせること。
【発明の詳細な説明】
【技術分野】
【０００１】
発明に関する本出願は、米国特許仮出願第６０／５２４，５９８号、名称“アクセス端末識別管理（ACCESS TERMINAL IDENTIFICATION MANAGEMENT）”、２００３年１１月２４日出願、に優先権を主張し、そして本発明の譲受人に譲渡され、本明細書中に引用として特別に取り込まれている。
【０００２】
本発明は、一般に通信システムに係り、特に通信システムにおけるアクセス端末識別に関する。
【背景技術】
【０００３】
セルラ・ワイアレス通信システムにおいて、セルは、複数のセクタを含むことができる。複数のセルは、そのうえサブネットを規定できる。移動局（ＭＳ：Mobile Station）又はアクセス端末（ＡＴ：Access Terminal）が基地局（ＢＳ：Base Station）又はアクセス・ネットワーク（ＡＮ：Access Network）と通信を開始する時に、ユニバーサル・アクセス端末識別名（ＵＡＴＩ：Universal Access Terminal Identifier）は、ＡＴを識別するために使用されることができる。ＵＡＴＩは、ＡＴが通信の最初に、すなわち、接続の確立において、位置しているサブネットに特有である。所与のサブネットにおいて通信を始めている各サブネットは、共通の最上位ビット（ＭＳＢ：Most Significant Bits）を有する完全（full）ＵＡＴＩを指定される。完全ＵＡＴＩのＭＳＢは、サブネット識別名すなわち“サブネットＩＤ”である。完全ＵＡＴＩの最下位ビット（ＬＳＢ：Least Significant Bits）は、そのうえ各ＡＴに固有である。このようにして、ＵＡＴＩのＭＳＢは、サブネットを識別し、そしてＵＡＴＩのＬＳＢは、ＡＴを識別する。
【０００４】
ＵＡＴＩは、１２８ビットであり、全世界で唯一つである。ローカルに固有であるＵＴＩに基づいた短い識別名を導き出すために、サブネット“カラー・コード”スキーム、本明細書中では“ＣＣ”と呼ぶ、は、各サブネットにカラー・コードを指定する。ＣＣは、ローカルに固有である８ビットの数であり、同じサブネット内のＵＡＴＩの１０４個のＭＳＢへのマッピングを提供する。各ＡＴに対して、ロング・コード・マスク（ＬＣＭ：Long Code Mask）は、ＵＡＴＩの２４個のＬＳＢ及びＣＣを使用して発生される。実効的に、ＣＣがサブネットを識別する、一方で、ＵＡＴＩの２４個のＬＳＢは、サブネット内部のＡＴを識別する。１つの例において、ＣＣは、ＵＡＴＩの２４個のＬＳＢと結び付けられて、ＬＣＭを形成する。
【０００５】
一旦、通信が始まると、ＬＣＭは、変更されない。ＡＴがサブネット境界を横切ると、複数の問題が発生することがある。各サブネットが複数のセルを含むことができるので、近接しているサブネットは、同じＣＣを有することがある。ところが、隣接するサブネットは、上記に説明されたＵＡＴＩマッピングのＣＣを用いて与えられるので、ＡＴは、このマッピング情報を持たないサブネットに移動することがある。この状況において、完全ＵＡＴＩを決定する際に曖昧さがある。別の１つの状況において、２個のＡＴが異なるサブネットから開始することがある、ここにおいて、サブネットは、同じＣＣを有する。２つのＡＴに対するＵＡＴＩのＬＳＢが同じあれば、その時は２つのＡＴに対するＬＣＭは同じであるはずであり、そしてその結果、２つのＡＴからの信号は互いに干渉する（すなわち、互いにとってマルチパスのように見えるはずである）。
【０００６】
ワイアレス通信システムにおいて遠隔局に対する唯一の識別名を発生させる必要性がある。さらに、移動体がトラフィック・チャネルにある（すなわち、接続された状態である）間に、セルラ・システムにおいてセクタ境界を横切る時に、識別名管理についての必要性がある。それゆえ、ワイアレス通信システムにおいてサブネット境界を横切る時に、サブネットを正確に識別する方法についての必要性がある。さらに、複数のサブネットに対してオーバーラップしないマスク及び識別情報を発生させる必要性がある。
【発明の開示】
【０００７】
［詳細な説明］
ＨＤＲ加入者局、本明細書中ではアクセス端末（ＡＴ：access terminal）と呼ばれる、は、移動可能である又は固定であることができ、そして１又はそれより多くのＨＤＲ基地局、本明細書中ではモデム・プール・トランシーバ（ＭＰＴ：modem pool transceiver）と呼ばれる、と通信できる。アクセス端末は、ＨＤＲ基地局コントローラ、本明細書中ではモデム・プール・コントローラ（ＭＰＣ：modem pool controller）と呼ばれる、に１又はそれより多くのモデム・プール・トランシーバを経由してデータ・パケットを送信しそして受信する。モデム・プール・トランシーバ及びモデム・プール・コントローラは、アクセス・ネットワークと呼ばれるネットワークの部分である。アクセス・ネットワークは、複数のアクセス端末間でデータ・パケットを搬送する。アクセス・ネットワークは、会社のイントラネット又はインターネットのような、アクセス・ネットワークの外部の追加のネットワークにさらに接続され、そして各アクセス端末とそのような外部ネットワークとの間でデータ・パケットを搬送できる。１又はそれより多くのモデム・プール・トランシーバとアクティブなトラフィック・チャネル接続を確立したアクセス端末は、アクティブなアクセス端末と呼ばれ、そしてトラフィック状態にあると言われる。１又はそれより多くのモデム・プール・トランシーバとアクティブなトラフィック・チャネル接続を確立する途中であるアクセス端末は、接続セットアップ状態にあると言われる。アクセス端末は、ワイアレス・チャネルを経由して又は、例えば、オプティカル・ファイバ又は同軸ケーブルを使用して、有線チャネルを経由して通信する任意のデータ・デバイスであることができる。アクセス端末は、さらに複数のタイプのデバイスのいずれかであることができ、ＰＣカード、コンパクト・フラッシュ、外部モデム又は内部モデム、若しくはワイアレス電話機又は有線電話機を含むが、これらに限定されることはない。その通信リンクを経由してアクセス端末がモデム・プール・トランシーバに信号を送る通信リンクは、逆方向リンクと呼ばれる。その通信リンクを経由してモデム・プール・トランシーバがアクセス端末に信号を送る通信リンクは、順方向リンクと呼ばれる。
【０００８】
ワイアレス通信システムは、図２に規定される、ここにおいて、各八角形は、セルを表す。各セルは、６個のセクタからなる。３個のセルは、サブネットを形成する。移動局又はアクセス端末（ＡＴ）がアクセス・ネットワーク（ＡＮ：Access Network）と通信を開始する時に、ユニバーサル・アクセス端末識別名（ＵＡＴＩ：Universal Access Terminal Identifier）は、ＡＴを識別するために使用され、そしてロング・コード・マスク（ＬＣＭ：Long Code Mask）が発生される。移動体がトラフィック・チャネル及びＵＡＴＩの２４の最下位ビット（ＬＳＢ：Least Significant Bit）を指定される場合に、ＬＣＭは、ＵＡＴＩに関係するカラー・コードに準拠される。１つの例では、ＡＴが図２のセクタｃにいるようにトラフィック・チャネルを指定されるのであれば、ＬＣＭは、適切なカラー・コード及びＵＡＴＩを含むはずである。
【０００９】
一旦、通信が進行すると、ＡＴがサブネット境界を横切る場合に、複数の問題が生じることがある。図２に関して、サブネット２００は、３つのセルを含む。サブネット２００は、サブネット２００のサブネットＩＤに対応するカラー・コード（ＣＣ）“ＢＬＵＥ”を指定される。サブネット２００は、サブネット３００及びサブネット４００に隣接する。サブネット３００及び４００は、同じＣＣ“ＧＲＡＹ”を有する。しかしながら、サブネット３００に対するＣＣは、サブネット３００のサブネットＩＤに対応する、と同時にサブネット４００に対するＣＣは、サブネット４００のサブネットＩＤに対応する。サブネット３００及び４００は、異なるサブネットＩＤを有する。サブネット３００に対するサブネットＩＤは、Ｓ１であり、そしてサブネット４００に対するサブネットＩＤは、Ｓ２である。サブネットＩＤは、ＵＡＴＩのＭＳＢに対応することに、注意する。もし、ＡＴがサブネット３００のセクタ‘ｃ’からサブネット２００に入るのであれば、ＣＣは、サブネットＩＤ  Ｓ１にマッピングされる。もし、ＡＴがサブネット４００のセクタ‘ｆ’から入るのであれば、ＣＣは、サブネットＩＤ  Ｓ２にマッピングされる。その結果、ＡＴがカラー・コード“ＢＬＵＥ”を有するサブネット２００の中央のセクタをアクセスする場合に、セクタが正確なマッピングを確認できないことがあるので、ＣＣからサブネットＩＤへのマッピングは、曖昧であることがある。
【００１０】
上に説明されたシナリオに関係する別の１つの問題は、セクタ‘ｃ’からサブネット２００に入っているＡＴのロング・コード・マスク（ＬＣＭ）がセクタ‘ｆ’からサブネット２００に入っているＡＴのＬＣＭと衝突することがあることである。ワイアレス通信システムにおいて遠隔局に対する唯一の識別名を発生させる必要性がある。さらに、セルラ・システムにおいてセクタ境界を横切る時に、識別名管理についての必要性がある。
【００１１】
下記の考察は、１つの実施形態を説明し、そこにおいて、ＣＣプランニングに関するルールが存在する。ＣＣは、８ビット・フィールドであり、そしてそれゆえ、最大２５６までの別個の値を取ることができる。カラー・コード・スキームを提供することは、サブネットがＣＣの同じ値を有するサブネットに隣接しないようなシステムを提供する。この制約を満足させるサブネットを提供することが、図２に示されている。
【００１２】
図３は、ＡＴのアクティブ・セットを調べることによってＡＴにＬＣＭを指定するための方法を説明する。アクティブ・セット（ＡＳ：Active Set）は、そこからＡＴがサービスされることができるパイロットのセットを規定する。このパイロットのセットは、ＡＮによってチャネル指定メッセージでＡＴに与えられる。ＡＴは、第１のサブネット、サブネット１、にいる間に通信を確立する。図示されたように、ステップ５００において、ＡＮは、最初のサブネット１に基づいてＡＴ識別名、ＵＡＴＩ１を指定する。ステップ５０２において、ＡＮは、ＵＡＴＩ１及びサブネット１に対応するＣＣからＬＣＭ、ＬＣＭ１、を発生する。ＡＮは、ステップ５０４においてＡＴにＬＣＭ１を指定する。判断ダイアモンド５０６において、ＡＮは、ＡＴに関するＡＳのいずれかのメンバーがサブネット１に属しているかどうかを決定する。もしＡＳのいずれかのメンバーがサブネット１に属しているのであれば、ＬＣＭ１は、ＡＴに対して維持される、ステップ５０８。ＡＴに関するＡＳのいずれのメンバーもサブネット１に属していないのであれば、処理はステップ５１０に続き、サブネット２中のＡＴの現在の位置に基づいて新たな識別名、ＵＡＴＩ２、を指定する。ステップ５１２において、ＡＮは、ＵＡＴＩ２及びサブネット２のＣＣからＬＣＭ２を発生する。ステップ５１４において、ＡＮは、ＡＴにＬＣＭ２を指定する。
【００１３】
図４は、図３の方法を実行するためのＡＮ装置を説明する。装置６００は、送信回路系６１０、受信回路系６１６、コントローラ６２０、及びメモリ６１４を含み、通信のために全てがバス６１８に接続される。メモリ６１４は、少なくとも１つのＡＴに関するアクティブ・セット・リストを記憶するために使用されることができる。装置は、アクセス端末識別名発生器、ＵＡＴＩ発生器６２２、ＬＣＭ発生器６１２、及び移動性（mobility）評価ユニット６２４を含む。移動性評価ユニット６２４は、ＡＴの現在の位置を移動性基準（mobility criteria）と比較する。１つの実施形態では、移動性基準は、判断ダイアモンド５０６において与えられたままである、ここにおいて、移動性評価ユニット６２４は、ＡＳのいずれかのメンバーがＡＴの最初のサブネットに属しているかを決定する。移動性評価ユニット６２４は、メモリ６１４から任意の必要な情報を検索する。もし、移動性基準を違反していると移動性評価ユニット６２４が決定するのであれば、ＵＡＴＩ発生器６２２は、ＡＴの現在の位置に基づいてＡＴに新たなＵＡＴＩを指定する。ＬＣＭ発生器６１２は、その後、新たなＵＡＴＩ及びＡＴの現在のサブネットのＣＣに基づいてＬＣＭを発生する。
【００１４】
ＣＣ指定に適用されたこの追加の制約だけでは、本明細書中で上に説明された問題の全てを解決しない。図５は、ＵＡＴＩへのＣＣのマッピングに曖昧さを導入する１つのシナリオを説明する。この状況では、ＡＴ６５０は、ＲＥＤのＣＣを有するサブネット６５２において通信を確立する。ＡＴ６６０は、サブネット６５６において通信を確立する、ここにおいて、サブネット６５６も、同様にＲＥＤのＣＣを有する。各サブネットに対するサブネットＩＤは異なるが、ＡＴ６５０及びＡＴ６６０に対してＵＡＴＩの共通ＬＳＢ部分を指定することは可能である。このケースでは、ＢＬＵＥのＣＣを有する同じサブネット６５４に移動する時に、新たなサブネット６５４は、１つを他のもののマルチパスとして取り扱う。
【００１５】
それゆえ、そのような状況を招くことがある曖昧さを削減するために、そしてＵＡＴＩ及びＬＣＭ指定に確実性を付加するために、１つの実施形態は、サブネットＸに隣接する全てのサブネットのセットとしてサブネットＸ内部のセクタに関する隣接サブネット・リスト（ＮＳＬ：Neighbor Subnet List）を規定する。例えば、図６において、サブネット“１”内部のセクタに関係するＮＳＬは、セット｛２，３，４，５，６，７，８，９｝である。もし、端末がサブネットＹに関係するＣＣを使用してＬＣＭを構成したのであれば、ＬＣＭは、サブネットＹに属すると言われる。もし、サブネットがサブネットＹに関係するＣＣを使用して構成したのであれば、サブネットＸは、サブネットＹの“シャドウ（shadow）”であると言われる。
【００１６】
システム中でＣＣプランニングに関係する“ｄ”が、所与のＣＣを有するサブネットから同じＣＣを有する別の１つのサブネットに横切ってゆくサブネットの最小の数であるとする。図６は、９個のＣＣを有するＣＣプランニング・スキームを図示する。各サブネットは、番号によって識別される。図示されたように、同じＣＣを共有する１つのサブネットから別の１つのサブネットへの距離は、２である。ＣＣプランニングのための最小距離（ＭＤ：Minimum Distance）がフロア（ｄ／２）に等しいフロアであると規定する。例えば、図６において、ｄは２に等しく、そしてＭＤは１に等しい。少なくとも１の最小距離を有することは、ＣＣプランニングにとって望ましい。もし、サブネット‘Ｙ’内のセクタからサブネット‘Ｘ’内のセクタに横切ってゆくサブネットの最小の数が‘ｎ’であるのであれば、サブネット‘Ｘ’は、サブネット‘Ｙ’から‘ｎ’ホップ（hop）離れていると言われる。
【００１７】
各セクタが隣接するサブネットに関係するサブネットＩＤを知っている場合に、無線アクセス・ネットワークは、そのときは開示（discovery）を通してそのような情報を取得できる。そのサブネットの隣接サブネット・リストがそこにＬＣＭが属しているサブネットＩＤを含んでいないサブネットに、アクティブ・セットのいずれかのメンバーの隣接者が、一旦属すると、ＡＮ又は基地局コントローラは、接続を終わらせる。接続を再確立すると、ＡＴは、ＣＣの新たな値を使用してＬＣＭを構成する。
【００１８】
図７は、ＡＴの移動性を評価することによってＡＴ識別名を指定するため、及び新たな識別名をいつ再指定するかを決定するための方法を説明する。ステップ７００において、ＡＴが通信を確立したサブネット、サブネット１、に関係するＡＴ識別名、ＬＣＭ１、を指定する。ステップ７０２において、ＡＮは、ＡＴと通信を確立する。判断ダイアモンド７０４において、ＡＴが新たなサブネットに移動したかどうかをＡＮは決定し、そしてもしそうならば、新たなサブネットに関するＮＳＬを決定する、ステップ７０６。ステップ７０８において、いずれかの隣接のＡＳがサブネット１のシャドウを包含するとＡＮが決定するのであれば、そしてもしそうならば、ＡＮは、ＡＴに対するＬＣＭを再指定するために接続を終了する、ステップ７１０。接続の再確立とともに、ＡＴは、ＣＣの新たな値、すなわち、新たなサブネットのＣＣ、を使用してＬＣＭを構築する。
【００１９】
図８は、ｔ１で終わるタイム・ピリオドの間の第１のＬＣＭの使用を説明する。この時間の間に、ＡＴは、第１のＣＣを有するサブネット内で通信している。時刻ｔ１において、ＡＴは、第２のＣＣを有する新たなサブネットに移動する。ＡＴは、時刻ｔ２まで通信を再確立しないことがあることに注意する。ゴールは、頻繁に接続が途絶えることを必要としないことであるが、むしろ、そのサブネットから端末が自身のＬＣＭを受信するサブネットのまわりの複数のサブネットのリングの中に留まりつつ、端末が回線の接続を維持することを可能にする。
【００２０】
図９は、１つの実施形態にしたがってＡＴ識別名を指定する方法を説明する。ステップ８００において、ＡＮは、サブネット１に対応する第１の識別名をＡＴに指定する。ＡＮは、その後、ステップ８０２においてＡＴと通信を確立する。ＡＴは、その後、サブネット２に移動し、そしてステップ８０４において、ＡＮは、サブネット２にいる間にＡＴと通信する。判断ダイアモンド８０６において、サブネット２がＡＴに関する移動性基準を満足するかを、ＡＮは決定する。移動性基準が満足される場合、システムは、ＡＴ識別名を維持する、ステップ８０８。移動性基準を違反している場合、システムは、ＡＴに新たなサブネット、サブネット２、に対応する新たな識別名を指定する。
【００２１】
ＭＤが‘１’より大きいのであれば、アルゴリズムは、拡張されることができ、そこにおいて、一旦、アクティブ・セットのいずれかのメンバーの隣接者が、そこにＬＣＭが属しているサブネットからＭＤホップより離れているサブネットに属すると、基地局コントローラは、接続を終わらせることができる。この拡張は、各サブネット内のセクタが特定のサブネットからどれだけのホップを離れているかを知る必要があるはずである。そのような情報は、インフラストラクチャ要素中に与えられることができる。
【００２２】
本明細書は、完全ＵＡＴＩ値にＣＣ値をマッピングすることの曖昧さを削減するために、そして重複した指定を回避するためにＡＴ識別名を指定するための種々の方法及び装置を公開する。
【００２３】
情報及び信号が、多様な異なる技術及び技法のいずれかを使用して表わされることができることを、当業者は、理解するはずである。例えば、上の説明の全体を通して参照されることがある、データ、命令、コマンド、情報、信号、ビット、シンボル、及びチップは、電圧、電流、電磁波、磁場又は磁力粒子、光場又は光粒子、若しくはこれらの任意の組み合わせによって表わされることができる。
【００２４】
本明細書中に開示された実施形態に関連して説明された各種の解説的な論理ブロック、モジュール、回路、及びアルゴリズムのステップが、電子ハードウェア、コンピュータ・ソフトウェア、若しくは両者の組み合わせとして与えられることができることを、当業者は、さらに価値を認めるはずである。ハードウェア及びソフトウェアのこの互換性を明確に説明するために、各種の解説的な複数の構成要素、ブロック、モジュール、回路、及びステップが、それらの機能性の面から一般的に上に説明されてきている。そのような機能性が、ハードウェア又はソフトウェアとして与えられるかどうかは、特定のアプリケーション及びシステム全体に課せられた設計の制約に依存する。知識のある者は、述べられた機能性を各々の特定のアプリケーションに対して違ったやり方で実行することができる。しかし、そのような実行の判断は、本発明の範囲からの逸脱を生じさせるように説明されるべきではない。
【００２５】
本明細書中に開示された実施形態に関連して述べられた、各種の解説的な論理ブロック、モジュール、及び回路は、汎用プロセッサ、ディジタル・シグナル・プロセッサ（ＤＳＰ：digital signal processor）、用途特定集積回路（ＡＳＩＣ：application specific integrated circuit）、フィールド・プログラマブル・ゲートアレイ（ＦＰＧＡ：field programmable gate array）若しくはその他のプログラマブル・ロジック・デバイス、ディスクリート・ゲート・ロジック又はトランジスタ・ロジック、ディスクリート・ハードウェア素子、若しくは本明細書中に説明された機能を実行するために設計されたこれらのいずれかの組み合わせで、与えられる又は実行されることができる。汎用プロセッサは、マイクロプロセッサであり得るが、しかし代わりに、プロセッサは、いずれかの従来型のプロセッサ、コントローラ、マイクロコントローラ、又はステート・マシン(state machine)であり得る。プロセッサは、演算装置の組み合わせとして与えられることができる。例えば、ＤＳＰとマイクロプロセッサの組み合わせ、複数のマイクロプロセッサの組み合わせ、ＤＳＰコアとともに１又はそれ以上のマイクロプロセッサの組み合わせ、若しくはいずれかの他のそのような構成の組み合わせであることができる。
【００２６】
本明細書中に開示された実施形態に関連して説明された方法又は技術は、ハードウェアにおいて、プロセッサによって実行されるソフトウェア・モジュールにおいて、又は両者の組み合わせに直接組み込まれることができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、脱着可能なディスク、ＣＤ−ＲＯＭ、若しくは、この技術において公知の他のいずれかの記憶媒体の中に常駐できる。ある具体例の記憶媒体は、プロセッサが記憶媒体から情報を読み出し、そこに情報を書き込めるようにプロセッサに接続される。あるいは、記憶媒体は、プロセッサに集積されることができる。プロセッサ及び記憶媒体は、ＡＳＩＣ中に常駐できる。ＡＳＩＣは、ユーザ端末中に常駐できる。あるいは、プロセッサ及び記憶媒体は、ユーザ端末中に単体素子として常駐できる。
【００２７】
開示された実施形態のこれまでの説明は、本技術に知識のあるいかなる者でも、本発明を作成し、使用することを可能にするために提供される。これらの実施形態への各種の変形は、当業者に容易に明白であろう。そして、本明細書中に規定された一般的な原理は、本発明の精神又は範囲から逸脱することなく、その他の実施形態に適用されることができる。それゆえ、本発明は、本明細書中に示された実施形態に制限することを意図したものではなく、本明細書中に開示した原理及び新規な機能と整合する最も広い範囲に適用されるものである。
【図面の簡単な説明】
【００２８】
【図１】図１は、ワイアレス通信システムである。
【図２】図２は、サブネットを備えたワイアレス通信システムであり、ここにおいて、各サブネットは３個のセルを備え、そして各セルは６個のセクタを備え、通信システムはサブネットに対してカラー・コード指定を有する。
【図３】図３は、アクセス端末（ＡＴ）に対してロング・コード・マスク（ＬＣＭ）を指定するための方法の１つの実施形態を説明するフロー図である。
【図４】図４は、移動性基準に応じてＬＣＭ発生の制御を提供するネットワーク装置である。
【図５】図５は、それぞれが同じＬＣＭを有するが異なるサブネット中で開始する複数のＡＴの新たなサブネット中への動きを説明する。
【図６】図６は、通信システムに対するカラー・コード（ＣＣ）指定である。
【図７】図７は、ＡＴにＬＣＭを指定するための方法の代わりの実施形態を説明するフロー図である。
【図８】図８は、ＬＣＭの再指定を説明するタイミング図である。
【図９】図９は、移動性基準を使用してＬＣＭを指定するための方法の１つの実施形態を説明するフロー図である。
【符号の説明】
【００２９】
２００…サブネット，６００…ＡＮ装置，６１８…バス。
【図１】
2007512782.tif 000003
【図２】
2007512782.tif 000004
【図３】
2007512782.tif 000005
【図４】
2007512782.tif 000006
【図５】
2007512782.tif 000007
【図６】
2007512782.tif 000008
【図７】
2007512782.tif 000009
【図８】
2007512782.tif 000010
【図９】
2007512782.tif 000011
【国際調査報告】
2007512782.tif 000012
2007512782.tif 000013